(57)【要約】      （修正有）【課題】観賞用水槽又はトイレロータンクに容易に脱着でき時間的、労働負担の軽減、又は水道使用量の節約をする。【解決手段】ロータンクより上部に水槽又はバケツ等の容器を設置、この容器にお風呂の残り湯、炊事、洗面などで使用後の雑排水を入れ、トイレロータンク内壁に設置、この容器と給水自動停止弁を接続している給水管２１内の空気を手押しポンプで押し出すと、容器の水圧により給水自動停止弁を通りロータンクに給水が開始され希望水面に達すると自動的に給水停止する。本品を観賞用水槽に上述と同様に設置し給水開始、希望水面に達すると球形弁２が完全閉鎖状態になり給水が停止される。【選択図】図２
0003103245.tif 000002
【実用新案登録請求の範囲】
【請求項１】
給水する水槽の希望水面で給水が自動停止するよう、使用状況に合わせて適合するフロート及びフロートおもりを選定し、フロートのチェーンとフロートのおもりを軸棒の基点に接合、脱着可能な吸盤固定器で水槽壁に設置、フロート自重及びフロートおもりの重量によりフロートが下降、「テコの原理」により力が軸棒に伝導され、球形弁を押し上げ給水される。給水を開始して水面が上昇すると浮力によりフロートも上昇、この上昇力が軸棒を強制的に降下させ、希望水面に達すると球形弁が完全閉鎖状態になり給水が停止される。この行程で給水が自然水圧の場合、水槽の水面が上昇すると排水管内にある空気が水圧により圧縮され、その圧力が弁を押し上げ給水が停止しにくくなるため排水管上部に空気口を、さらに水量が迅速に流れるよう排水管下部にも流水口を設置する。
【請求項２】
給水が水道等の加圧水圧の場合は、給水圧力により球形弁が急停止するため、水流を抑制する整流器及び回転を制御するワッシャーを設置することにより球形弁をパッキンに押し付け給水が停止される。給水圧力で生じる水面の波を波防止カバー装置を設置することにより波の影響を防止し、容易に脱着でき自由に水量設定可能で安定した連続の給水及び給水停止ができることを特徴とする給水自動停止弁。
【考案の詳細な説明】
【技術分野】
【０００１】  家庭用トイレロータンクの給水装置には水道以外の雑水を接合することはできないので、雑水を利用するには別に設置することになり、現在の水道用給水装置は配管等専門的な技術を必要とし、一般家庭の人には難しい施工と考えられる。本考案は、一般家庭の人が簡単に取付け，取り外しができ、水槽に給水し希望水面に達すると、自動的に給水を停止する水槽給水装置に関するものである。
【背景技術】
【０００２】  トイレロータンクには水道管が配管され、水道水が規定水量に達すると自動的に給水を停止ようになっているが、家庭等において毎日、水洗トイレ使用後の流す水道水は膨大な量になり日々節水の工夫、努力する必要を感じる。【０００３】  したがって、お風呂の入浴後の残り湯、炊事、洗面、などで使用後の雑排水をトイレで再利用すれば水道使用量の節約になり水資源環境に貢献できる。【０００４】  観賞用水槽に給水するさい、定量水位になるまで見ていなければならず、油断すると水があふれ出てあわてることがある。
【考案の開示】
【考案が解決しようとする課題】
【０００５】  家庭用トイレロータンク内に給水する水道の給水装置には、水道水以外の雑水を接合することは難しいので、雑水を利用してトイレでの使用水道の節約をするには別に設置する必要がある。現在の水道用給水装置は配管等専門的な技術を必要とし、一般家庭の人には施工は難しい、又観賞用水槽に給水のとき、水があふれ出ないよう見守ることは時間的，労働負担である。したがって一般家庭の人が簡単に取付け，取り外しができ、上述の欠点を解決しようとするものである。
【課題を解決するための手段】
【０００６】  観賞用水槽に給水のとき、希望水面で給水が自動停止するよう、図３のフロートのチェーンとフロートおもりを横の軸棒の基点に接合し、取付け，取外し、が簡単にできる吸盤固定器で水槽壁に固定、フロートが「テコの原理」により横の軸棒から縦の軸棒へ力が伝導され、球形弁を押し上げ給水可能状態になる、水面が上昇すると浮力によりフロートも上昇する。この上昇力が球形弁を閉鎖状態にし、やがて希望水面に達すると球形弁が完全閉鎖状態になり給水が停止される。【０００７】  トイレロータンクの場合、図４の２トイレ室内実施例の様にロータンクより上部に水槽又はバケツ等の容器を設置、この容器にお風呂の残り湯、炊事、洗面などで使用後の雑排水を入れ、本考案をトイレロータンク内壁に設置、この容器と本考案の給水自動停止弁を接続している給水管内の空気を押し出すと、容器の水圧により給水自動停止弁を通りロータンクに給水が開始され、希望水面に達すると球形弁が完全閉鎖状態になり給水が停止される。【０００８】  トイレ使用後、ロータンクハンドルを引くとロータンク内の水が排水され、ロータンク内の水位が下がり、本考案の給水自動停止弁が再び作動しロータンクの上部容器から給水される。この容器に雑排水を満たしている間は自動的に給水，排水が繰り替えされ水道使用量の節約に、水資源環境に貢献できる。
【考案の効果】
【０００９】  上述の様に、観賞用水槽等に給水のとき、本考案を希望水面で停止するように設置し給水すれば、給水後は自動的に給水停止になり時間的，労働負担が軽減される。【００１０】  又、水洗トイレでの本考案を使用すれば、お風呂の入浴後の残り湯、炊事、洗面、などで使用後の雑排水を再利用することにより、トイレでの水道使用量の節約に、さらに水資源環境にも貢献できる。
【考案を実施するための最良の形態】
【００１１】  観賞用水槽に給水又は水槽を洗浄時の入れ替え給水のとき、又は食堂，工場等の水槽等の容器に給水するとき、水洗トイレに雑排水を再利用するときに本考案を使用すれば、家庭から産業まで利用できると考えられる。
【実施例】
【００１２】  本考案は、図１は全体外観をあらわしたもので、図２は正面からみた全体外観、図３は主体の断面図、図４は実施例をあらわしたものです。
水槽に本考案の給水自動停止弁を設置するさい、希望水面で停止するよう６フロートに接合している７チェーンと１０フロートおもりを９横軸棒端の１３基点Ｃにある１８フックより戻し、に取付ける。
フロートのチェーンを短く取付ければ給水停止位置が下がり、フロートのチェーンを長く取付ければ給水停止位置を上げることにより、希望水量を自由に設定できる。【００１３】  設定した後、１４吸盤固定器で１７排水管上部と同下部の２箇所で、２２水槽壁に固定する。水槽内の水量が空又は少量のとき、フロートの自重及び１０フロートおもりの重量によりフロートが下降、１３基点Ｃ、１２基点Ｂ、１１基点Ａ、で「テコの原理」により９横軸棒から８縦軸棒へ力が伝導され、１水量開閉器内の２球形弁が押し上げられるため給水可能状態になり、２１給水管を通じ、１水量開閉器、１７排水管、を経て水槽内に給水が開始される。【００１４】  水面が上昇すると浮力により６フロートも上昇する。この上昇力が９横軸棒から８縦軸棒へ力が伝導され８縦軸棒が強制的に降下し、２球形弁の自重、水流による２球形弁回転を抑制する１６ワッシャーの自重、及び給水水流の力により２球形弁が３パッキンに押し付けられ閉鎖状態に移行し、やがて希望水面に達すると２球形弁が完全閉鎖状態になり給水が停止される。【００１５】  水洗トイレのロータンクの場合、図４の２のロータンクより上部に水槽又はバケツ等の容器を設置、この容器にお風呂の残り湯、炊事、洗面などで使用後の雑排水を入れ、本考案の２１給水管をロータンクの１５水槽壁開口部を通し容器内に接続して、本考案の給水自動停止弁を図４の１のトイレロータンク内壁に設置、２１給水管内の空気を図４の２の手押しポンプで押し出すと、容器の水圧により本考案の給水自動停止弁を通りロータンクに給水が開始され、希望水面に達すると２球形弁が完全閉鎖状態になり給水が停止される。【００１６】  トイレ使用後、ロータンクハンドルを引くとロータンク内の水が排水され、ロータンク内の水位が下がり本考案の給水自動停止弁が再び作動し、ロータンクの上部容器から給水される。この容器に雑排水を満たしている間は自動的に給水，排水が連続的に繰り替えされる。【００１７】  この行程のなかで、ロータンクに接続している図４の２の水道管のバルブを状況に応じて手動開閉し、雑排水が多量にある場合はロータンク上部に設置した容器に雑排水が空にならないように、雑排水をバケツまたは浴水ポンプ等で送り込み、水道管のバルブは完全に閉鎖。雑排水が少なくなってきた場合は水道管のバルブを少し開いて、水道水と雑排水を併用。雑排水が無くなれば水道管のバルブを全開し通常の水道水利用状態にすれば、家庭内の雑排水再利用を目で楽しみながら、より節水効果が発揮できる。【００１８】  本考案の実施例は上述のような構成となるが、本考案の給水から２球形弁停止までの行程の中で水槽の水面が上昇すると１７排水管内にある空気が水圧により圧縮され、その力が２球形弁を押し上げ給水が停止しにくくなる。これを防止するため１７排水管上部に１９空気口を２箇所、さらに水量が迅速に流れるよう１７排水管下部にも２０流水口を４ヶ所に設置、但し水道等の加圧された水圧での給水の場合は水圧が強いため、給水を開始すると２球形弁が急停止し給水不可になる、そのため２３接続管に２４整流器を設置し流力を軽減すると正常に作動し給水停止する。給水により水面で波が発生しフロートが上下に変動、この波動が２球形弁に影響するためフロートを５波防止カバーで被う装置を設置することにより波の影響を防止することができる。
【図面の簡単な説明】
【００１９】
【図１】本考案の外観をあらわす立体図である。
【図２】本考案を水槽壁に設置する正面図である。
【図３】本考案の断面図である。
【図４】本考案の実施例を示す。
【符号の説明】
【００２０】  １  水量開閉器              １６  ワッシャー
２  球形弁                  １７  排水管
３  パッキン                １８  フックより戻し
４  キャップ                １９  空気口
５  波防止カバー            ２０  流水口
６  フロート                ２１  給水管
７  チェーン                ２２  水槽壁
８  縦軸棒                  ２３  接続管
９  横軸棒                  ２４  整流器
１０  フロートおもり
１１  基点Ａ
１２    基点Ｂ
１３    基点Ｃ
１４    吸盤固定器
１５    水槽壁開口部
【図１】
0003103245.tif 000003
【図２】
0003103245.tif 000004
【図３】
0003103245.tif 000005
【図４】
0003103245.tif 000006
【手続補正書】
【提出日】平成16年2月23日(2004.2.23)
【手続補正１】
【補正対象書類名】実用新案登録請求の範囲
【補正対象項目名】全文
【補正方法】変更
【補正の内容】
【実用新案登録請求の範囲】
【請求項１】
給水する水槽の希望水面で給水が停止する装置において、
（１）水圧、水流を制御するため、水が通る小さい空間を設置する円形円盤状の整流器。
（２）水圧、水流による球形弁の回転を制御する重しを兼ねたワッシャー。
（３）水流を完全閉鎖状態にするための球形弁、及びパッキン。
（４）水面が上昇すると管内にある空気が水圧により圧縮され、その圧力が弁を押し上げるため、管上部に空気口を、水量が迅速に流れるよう管下部にも流水口を設置した排水管。
（５）「テコの原理」及びフロートの浮力により球形弁を上下させるために伝導力を伝える縦軸棒、横軸棒、。
（６）水の浮力により球形弁を上下させるためのフロート及びフロートおもり。
（７）水面の波の力を制御するための波防止カバー。
（８）水槽壁に固定するための吸盤固定器。
以上の構成からなる給水自動停止弁。